(57)【要約】      （修正有）【課題】ストーマ用ベルトをして、ストーマ袋用カバーを装着したとき、体にフィットし無理なく容易に排泄物が排出できるようにし、ストーマ用ベルトのプラスチック（フック）が肌に直接触れないよう肌とプラスチック（フック）の間に、クッションの機能を備えたストーマ袋用カバーを提供する。またストーマ袋をした状態でも容易にストーマ袋用カバーを装着脱着ができる。【解決手段】ストーマ袋用カバー５の外生地６と内生地７と重ねて中央付近の両端部分６−ａを５ｃｍ前後縫製して、内生地７の底部が２ｃｍ前後控えられ本体の半分ぐらいまで開閉口となり容易に開閉自在とする。また内生地７の７−ａの部分がクッションとなりストーマ用ベルトのプラスチック（フック）が直接肌に触れなくする。そして外生地６の上部端８を縮めることで肌へのフィット感を可能とする。【選択図】図３
0003213714.tif 000002
【実用新案登録請求の範囲】
【請求項１】
ストーマ袋用カバーの生地が外生地と内生地とで縫製された２層の生地からなり外生地と内生地を重ね中央付近の両端を５ｃｍ前後縫い止めることを特徴とするストーマ袋用カバー
【請求項２】
ストーマ袋用カバーの外生地と内生地からなるストーマ袋用カバーの内生地底部を２ｃｍ前後控えられて底部が開閉口になることを特徴とする。請求項１に記載のストーマ袋用カバー
【請求項３】
また底部の開閉口に面ファスナーを設けストーマ袋用カバーの半分ぐらいまで大きく開くことを特徴とする。請求項１又は２に記載のストーマ袋用カバー
【請求項４】
ストーマ袋用カバーは、外生地の上部端にゴム又は伸縮素材等で縮めることを特徴とする。請求項１〜３のいずれか１項に記載のストーマ袋用カバー
【請求項５】
ストーマ袋にストーマ用ベルトとストーマ袋用カバーを装着したとき内生地に、クッション機能を設けていることを特徴とする。請求項１〜４のいずれか１項に記載のストーマ袋用カバー
【請求項６】
ストーマ袋用カバーは、装着脱着するとき本体の上部に長方形のくり抜き穴（くり抜きホール）が設けられて、その穴にタブを通すことで立体的になることを特徴とする。請求項１〜５のいずれか１項に記載のストーマ袋用カバー
【請求項７】
またストーマ袋用カバーを装着してタブを面ファスナーで止めた時に、ストーマの部分で立体的になるように設けられていることを特徴とする。請求項１〜６のいずれか１項に記載のストーマ袋用カバー
【考案の詳細な説明】
【技術分野】
【０００１】  本考案は、ストーマ袋用カバーとストーマ用ベルトをしたときに、装着脱着を容易にして、人体にフィットさせ装着時の違和感を軽減する。またストーマ用ベルトのプラスチック（フック）が直接肌に触れないようにし、肌を保護し、手術前の生活に近づけるためのストーマ袋用カバーを目的とする。
【背景技術】
【０００２】  大腸、直腸等の手術をうけた患者の中には、人工肛門（ストーマ）を設けて排便等を行う、そのためストーマ袋を人工肛門（ストーマ）周辺に接着性のあるストーマ袋が面板部分でストーマ袋を固定する。【０００３】  ストーマ袋の底部には、開口部が備わっており溜った排泄物を排出又は、開口部からガスを抜くことができ閉じる時は開閉口を閉じるようするドレンタイプと、開口部のない使い捨てで袋の部分が着脱交換できるクローズタイプがある。【０００４】  そしてストーマ袋を装着した時に他人から見える側の袋は、人工肛門（ストーマ）とストーマ袋の装着状態が見えるように透明か半透明となっている。【０００５】  そのため排泄物が溜った状態では外見を悪化させ使用者の精神的苦痛となり又ストーマ袋の付け心地が不安定であったりする。そこでストーマ袋に装着されるカバーが使用される場合がある（例えば特許文献１）【０００６】  さらにストーマ袋を装着して安定させるためストーマ用ベルトを付ける。そのためストーマ用ベルトのプラスチック（フック）が肌に直接触れて、かゆみ、かぶれ、ただれ等の皮膚傷害をおこすこともある。そのためプラスチック（フック）と肌の間に布やガーゼを添えている現状が少なくない。また装着時に圧迫感を感じ、違和感があって不便であった。
【先行技術文献】
【特許文献】
【０００７】
【特許文献１】特開２００９−２５４７１９号公報
【特許文献２】意匠登録第１５４７１７０号公報
【考案の概要】
【考案が解決しようとする課題】
【０００８】  そこで本考案の目的は、ストーマ用ベルトを装着したときに、プラスチック（フック）が肌に直接当たらないよう肌を保護し、かつ装着及び脱着する事が容易にでき、排泄物も容易に排出でき、さらに体にフィットして精神的苦痛を軽減させ、手術前と同様の生活により近づけるようにする。ストーマ袋用カバーを提供することを目的とする。
【課題を解決するための手段】
【０００９】  従って本考案のストーマ袋用カバーは、外生地と内生地を重ねた状態からなり内生地側の肌にあたる面は、肌に優しい、綿又はオーガニック素材等の布（生地）を使用する。【００１０】  開閉口は、開閉口が小さいと排泄物が出しにくい、そこで本考案のストーマ袋用カバーは、底部に開閉口を設け中央付近の両端を縫い止めることで本考案のストーマ袋用カバーは、排泄物を容易に出しやすいよう本体の半分ぐらいまで開閉口を大きく開くようにした。【００１１】  また装着時、体にフィットさせることで安定感をもたせる。そこで本考案のストーマ袋用カバーの最上部にゴム又は伸縮素材等で縮めることで体にフィットさせる。【００１２】  また人工肛門（ストーマ）突出した高さがあるので、圧迫されないようにストーマ袋用カバーは、人工肛門（ストーマ）部分が、立体的になる事が好適である。
本考案のストーマ袋用カバーは、タブを止めて着用したときに立体的になるようにダーツ操作し又調整することができる。【００１３】  ストーマ袋を固定するためストーマ用ベルトを装着する。ストーマベルトを、装着したときにプラスチック（フック）（アジャスター）が有る。プラスチック（アジャスター）は、強弱することで移動するので肌にあまり違和感がない。プラスチック（フック）は、固定されているため直接肌に触れ、かゆみ、かぶれ、ただれ等の皮膚傷害が生じることがある。本考案のストーマ袋用カバーは、直接肌にプラスチック（フック）が触れないよう内生地側にクッションを設けた。
【考案の効果】
【００１４】  本考案のストーマ袋用カバー装着したまま排泄物が容易に出すことができる。【００１５】  本考案のストーマ袋用カバーは、ストーマ袋がむき出しのままにならないため、精神的苦痛が軽減し、体にフィットするので装着感がよく、手術前の生活に近づけることができる。【００１６】  本考案のストーマ袋用カバーは、人工肛門（ストーマ）の部分が装着することによって、立体的になるので圧迫感を軽減する。【００１７】  本考案のストーマ袋用カバーは、ストーマ用ベルトのプラスチック（フック）１４が肌に触れないので、かゆみ、かぶれ、ただれ等の皮膚傷害が軽減される。【００１８】  本考案のストーマ袋用カバーは、布地で出来ているので洗濯ができ、耐久性もある。
【図面の簡単な説明】
【００１９】
【図１】ストーマ袋ドレンタイプを示す図である。Ａ（開口状態）Ｂ（閉口状態）
【図２】ストーマ袋クローズタイプを示す図である。
【図３】本考案のストーマ袋用カバーのタブを止めた状態図Ａ（外面）Ｂ（内面）
【図４】本考案のストーマ袋用カバーのタブを外した状態図Ａ（外面）Ｂ（内面）
【図５】本考案のストーマ袋用カバーの側面状態図
【図６】本考案のストーマ袋用カバーの開いた状態図
【図７】本考案のストーマ袋用カバーの装着状態図
【考案を実施するための形態】
【００２０】  本考案の実地の形態について図面を参照しながら説明する。
【００２１】  図１は、ストーマ袋１を示す図である。ストーマ袋は、排泄物を入れるための袋２と面板３から構成されている。面板３と袋２が一体となっているドレンタイプがある。
【００２２】  図２は、ストーマ袋４を示す図である。図１と同様でストーマ袋は、排泄物を入れるため袋２と面板３から構成されている。面板３と袋２が取り外しできるようになっている、新しい袋２と取り替えることができるクローズタイプがある。ストーマ袋（図１、図２）は市販されている本考案のストーマカバー（図３参照）いずれの形にも使用可能である。
【００２３】  図３は、タブで止めた状態図である。Ａ（外面）は、本考案のストーマ袋用カバー５は、正面から見た図でタブ７−ｃをくり抜き穴（くり抜きホール）１１に通している装着状態図である。Ｂ（内面）は、裏から見た図である。
【００２４】  また、外生地６と内生地７を重ね６−ａの部分を縫製し、ストーマ袋用カバー５の底部が大きく開閉できるようになっている。また開閉口に面ファスナー１２、１２’を使用することで容易に開閉自在である。
【００２５】  図４は、タブを外した状態図である。Ａ（外面）は、正面から見た図でタブ７−ｃの部分に面ファスナー９、９’を使用し、くり抜き穴（くり抜きホール）１１に通して止めることで、装着脱着を容易にする。また調整が可能となる。
【００２６】  図４のＢ（内面）は裏か見た図である。７−ｂの形状にすることで、面板３の妨げにならない（図１参照９さらに、装着脱着を容易にすることができる。
【００２７】  またクッション７−ａの部分はストーマベルトのプラスチック（フック）１４が肌に直接あたらないよう設けてある。
【００２８】  図５は、横から見た側面状態図である。このストーマ袋用カバーは、ダーツ操作をほどこして有り、ストーマ袋用カバー５の上部８にゴム又は伸縮素材等で縮める事と、タブを止めて装着する事で、６−ｂのラインのように、人工肛門（ストーマ）の部分が立体的になる。
【００２９】  図６は、開閉口を開けた状態図である。図のように６−ａを縫い止めることで、開閉口が本体の半分ぐらい開くので、ストーマ袋用カバー５を装着したまま排泄物を出し易くする。またナイロンスナップ１０で、開いた外生地６が上部のタブに止めることができる。
【００３０】  また外生地６と内生地７との開閉口は、内生地側の方をストーマ袋に適した長さに合わせ２ｃｍ前後外生地６を長くして段差を設けてある。段差があることで内生地が排泄を排出するときに邪魔にならない。
【００３１】  図７は，装着した状態図である。（前項００２８）で述べた、ストーマ用ベルトのプラスチック（フック）１４がクッション７−ａで直接肌に触れないようになるので、かゆみ、かぶれ、ただれ等の皮膚傷害が軽減される。またストーマ袋がむき出しのままにならないため、精神的苦痛を軽減する。
【符号の説明】
【００３２】１．４      ストーマ袋
２          袋
３          面板
５          ストーマ袋用カバー
６          外生地（外面）
７          内生地（内面）
７−ａ      クッション
７−ｂ      カットライン
７−ｃ      タブ
８          ストーマ袋用カバー上部
９．９’    タブ止めの面ファスナー
１０        ナイロンスナップ
１１        くり抜き穴（くり抜きホール）
１２．１２’開閉の面ファスナー
１３        ストーマ用ベルト
１４        プラスチック（フック）
１５        プラスチック（アジャスター）
【図１】
0003213714.tif 000003
【図２】
0003213714.tif 000004
【図３】
0003213714.tif 000005
【図４】
0003213714.tif 000006
【図５】
0003213714.tif 000007
【図６】
0003213714.tif 000008
【図７】
0003213714.tif 000009
【手続補正書】
【提出日】平成29年9月14日(2017.9.14)
【手続補正１】
【補正対象書類名】実用新案登録請求の範囲
【補正対象項目名】全文
【補正方法】変更
【補正の内容】
【実用新案登録請求の範囲】
【請求項１】
ストーマ袋用カバーの生地が外生地と内生地とで縫製された２層の生地からなり外生地と内生地を重ね中央付近の両端を５ｃｍ前後縫い止めることを特徴とするストーマ袋用カバー。
【請求項２】
ストーマ袋用カバーの外生地と内生地からなるストーマ袋用カバーの内生地底部を２ｃｍ前後控えられて底部が開閉口になることを特徴とする請求項１に記載のストーマ袋用カバー。
【請求項３】
前記底部の開閉口に面ファスナーを設けストーマ袋用カバーの半分ぐらいまで大きく開くことを特徴とする請求項２に記載のストーマ袋用カバー。
【請求項４】
ストーマ袋用カバーは、外生地の上部端にゴム又は伸縮素材で縮めることを特徴とする請求項１〜３のいずれか１項に記載のストーマ袋用カバー。
【請求項５】
ストーマ袋にストーマ用ベルトとストーマ袋用カバーを装着したとき内生地に、クッション機能を設けていることを特徴とする請求項１〜４のいずれか１項に記載のストーマ袋用カバー。
【請求項６】
ストーマ袋用カバーは、装着脱着するとき本体の上部に長方形のくり抜き穴（くり抜きホール）が設けられて、その穴にタブを通すことで立体的になることを特徴とする請求項１〜５のいずれか１項に記載のストーマ袋用カバー。
【請求項７】
ストーマ袋用カバーを装着して前記タブを面ファスナーで止めた時に、ストーマの部分で立体的になるように設けられていることを特徴とする請求項６に記載のストーマ袋用カバー。